(57)【要約】【課題】ユーザにとって操作が容易であるフィールド機器を提供することを目的とする。【解決手段】  フィールド機器は、制御対象のフィールドに設置されるフィールド機器であって、操作入力を受け付けるように構成された操作部１０と、制御のために用いられる項目の表示に関する複数の遷移情報であるメニュー構成４００を記憶するように構成されたメモリ１４と、操作部１０が受け付けた操作入力に応じて、メモリ１４より複数のメニュー構成のいずれかを選択するように構成されたメニュー設定部１１と、メニュー設定部１１によって選択されたメニュー構成に基づいて、メニュー項目４０１を出力するように構成された表示部１６とを備える。【選択図】  図２
2020194323.tif 000002
【特許請求の範囲】
【請求項１】
制御対象のフィールドに設置されるフィールド機器であって、
操作入力を受け付けるように構成された第１操作部と、
制御のために用いられる項目の表示に関する複数の遷移情報を記憶するように構成された第１記憶部と、
前記第１操作部が受け付けた操作入力に応じて、前記第１記憶部より前記複数の遷移情報のいずれかを選択するように構成された第１選択部と、
前記第１選択部によって選択された遷移情報に基づいて、前記項目を出力するように構成された出力部と
を備えるフィールド機器。
【請求項２】
請求項１に記載のフィールド機器において、
前記第１操作部に割り当て可能な複数の機能設定を記憶するように構成された第２記憶部と、
操作入力を受け付けるように構成された第２操作部と、
前記第２操作部が受け付けた操作入力に応じて、第２記憶部に記憶されている前記複数の機能設定のいずれかを選択するように構成された第２選択部と、
前記第２選択部によって選択された機能設定を前記第１操作部に割り当てるように構成された割当部と
をさらに備える
ことを特徴とするフィールド機器。
【請求項３】
請求項２に記載のフィールド機器において、
前記第２選択部によって選択された機能設定の一部を変更するように構成された第２変更部をさらに備え、
前記割当部は、前記第２変更部によって変更された機能設定を前記第１操作部に割り当てる
ことを特徴とするフィールド機器。
【請求項４】
請求項２または請求項３に記載のフィールド機器において、
前記第１操作部は、複数の操作部を有し、
前記第２記憶部は、前記複数の操作部が受け付ける複数の操作入力に対して割り当て可能な前記複数の機能設定を記憶する
ことを特徴とするフィールド機器。
【請求項５】
請求項１から４のいずれか１項に記載のフィールド機器において、
前記第１操作部が受け付けた操作入力に応じて、前記第１選択部によって選択された遷移情報に基づいた制御のための前記項目の一部を変更するように構成された第１変更部をさらに備え、
前記出力部は、前記第１変更部によって一部の項目が変更された遷移情報に基づいて、前記項目を出力する
ことを特徴とするフィールド機器。
【請求項６】
請求項１から５のいずれか１項に記載のフィールド機器において、
前記出力部は、前記選択された遷移情報に基づいた前記項目を表示する表示装置を備える
ことを特徴とするフィールド機器。
【請求項７】
請求項１から６のいずれか１項に記載のフィールド機器において、
前記フィールド機器は、バルブの開度を制御するポジショナである
ことを特徴とするフィールド機器。
【請求項８】
制御対象のフィールドに設置されるフィールド機器により実行される表示方法であって、
操作入力を第１操作部で受け付ける第１ステップと、
前記第１ステップで受け付けた操作入力に応じて、第１記憶部に記憶されている、制御のために用いられる項目の表示に関する複数の遷移情報のうちのいずれかを選択する第２ステップと、
前記第２ステップで選択された遷移情報に基づいて、前記項目を表示装置に出力する第３ステップと
を備える表示方法。
【請求項９】
請求項８に記載の表示方法において、
第２記憶部に記憶されている、前記第１操作部に割り当て可能な複数の機能設定のいずれかを選択する第４ステップと、
操作入力を第２操作部で受け付ける第５ステップと
前記第５ステップで選択された機能設定を前記第１操作部に割り当てる第６ステップと
をさらに備える
ことを特徴とする表示方法。
【発明の詳細な説明】
【技術分野】
【０００１】
本発明は、フィールド機器および表示方法に関し、特にフィールド機器の操作手順を表示する技術に関する。
【背景技術】
【０００２】
従来から、制御システムの一部を構成するポジショナなどのフィールド機器の高機能化が進み、また、フィールド機器の使いやすさの向上のために表示機能が追加されている（特許文献１参照）。ユーザは、このような従来のフィールド機器の操作を行う場合、フィールド機器に設けられている操作ボタンの押下などを行い、表示画面に表示される操作手順に従ってフィールド機器の操作を行う。
【０００３】
このような従来のフィールド機器の操作に用いられる操作ボタンの数や、操作ボタンに割り当てられている機能は、フィールド機器を提供するメーカが独自に決定している。また、フィールド機器の操作手順を示すメニュー構成も各メーカ独自に設定されている。
【０００４】
例えば、各メーカが提供するポジショナは、同様の制御を行うものであっても、各メーカが独自の操作方法、およびメニュー構成を構築している。また、同一メーカのポジショナであっても、型番が異なると、操作ボタンに割り当てられている機能やメニュー構成が異なる場合もある。
【先行技術文献】
【特許文献】
【０００５】
【特許文献１】特開２０１７−２０８７８号公報
【発明の概要】
【発明が解決しようとする課題】
【０００６】
しかし、従来のフィールド機器では、ユーザは各メーカの操作マニュアルを読み、操作ボタンの操作方法を習得する必要がある。また、フィールド機器の高機能化に伴い、様々なメニューが用意されているが、実際に活用される機能は一部の機能である場合も多い。そのため、多数のフィールド機器が設置されているプラントなどの現場において、フィールド機器の操作は、ユーザにとって容易ではなかった。
【０００７】
本発明は、上述した課題を解決するためになされたものであり、ユーザにとって操作が容易であるフィールド機器を提供することを目的とする。
【課題を解決するための手段】
【０００８】
上述した課題を解決するために、本発明に係るフィールド機器は、制御対象のフィールドに設置されるフィールド機器であって、操作入力を受け付けるように構成された第１操作部と、制御のために用いられる項目の表示に関する複数の遷移情報を記憶するように構成された第１記憶部と、前記第１操作部が受け付けた操作入力に応じて、前記第１記憶部より前記複数の遷移情報のいずれかを選択するように構成された第１選択部と、前記第１選択部によって選択された遷移情報に基づいて、前記項目を出力するように構成された出力部とを備える。
【０００９】
また、本発明に係るフィールド機器において、前記第１操作部に割り当て可能な複数の機能設定を記憶するように構成された第２記憶部と、操作入力を受け付けるように構成された第２操作部と、前記第２操作部が受け付けた操作入力に応じて、第２記憶部に記憶されている前記複数の機能設定のいずれかを選択するように構成された第２選択部と、前記第２選択部によって選択された機能設定を前記第１操作部に割り当てるように構成された割当部とをさらに備えていてもよい。
【００１０】
また、本発明に係るフィールド機器において、前記第２選択部によって選択された機能設定の一部を変更するように構成された第２変更部をさらに備え、前記割当部は、前記第２変更部によって変更された機能設定を前記第１操作部に割り当ててもよい。
【００１１】
また、本発明に係るフィールド機器において、前記第１操作部は、複数の操作部を有し、前記第２記憶部は、前記複数の操作部が受け付ける複数の操作入力に対して割り当て可能な前記複数の機能設定を記憶していてもよい。
【００１２】
また、本発明に係るフィールド機器において、前記第１操作部が受け付けた操作入力に応じて、前記第１選択部によって選択された遷移情報に基づいた制御のための前記項目の一部を変更するように構成された第１変更部をさらに備え、前記出力部は、前記第１変更部によって一部の項目が変更された遷移情報に基づいて、前記項目を出力してもよい。
【００１３】
また、本発明に係るフィールド機器において、前記出力部は、前記選択された遷移情報に基づいた前記項目を表示する表示装置を備えていてもよい。
【００１４】
また、本発明に係るフィールド機器において、前記フィールド機器は、バルブの開度を制御するポジショナであってもよい。
【００１５】
上述した課題を解決するために、本発明に係る表示方法は、制御対象のフィールドに設置されるフィールド機器により実行される表示方法であって、操作入力を第１操作部で受け付ける第１ステップと、前記第１ステップで受け付けた操作入力に応じて、第１記憶部に記憶されている、制御のために用いられる項目の表示に関する複数の遷移情報のうちのいずれかを選択する第２ステップと、前記第２ステップで選択された遷移情報に基づいて、前記項目を表示装置に出力する第３ステップとを備える。
【００１６】
また、本発明に係る表示方法は、第２記憶部に記憶されている、前記第１操作部に割り当て可能な複数の機能設定のいずれかを選択する第４ステップと、操作入力を第２操作部で受け付ける第５ステップと前記第５ステップで選択された機能設定を前記第１操作部に割り当てる第６ステップとをさらに備えていてもよい。
【発明の効果】
【００１７】
本発明によれば、フィールド機器の制御のための項目の遷移情報を選択し、かつ、操作部の操作入力に割り当てられる機能設定を選択することができるので、ユーザにとって操作がより容易なフィールド機器が実現される。
【図面の簡単な説明】
【００１８】
【図１】図１は、本発明の第１の実施の形態に係るポジショナの概要を説明するための図である。
【図２】図２は、第１の実施の形態に係るポジショナの機能ブロック図である。
【図３】図３は、第１の実施の形態に係るポジショナのハードウェア構成を示すブロック図である。
【図４】図４は、第１の実施の形態に係るポジショナの動作を説明するフローチャートである。
【図５】図５は、第１の実施の形態に係るボタンの設定処理を説明するフローチャートである。
【図６】図６は、第１の実施の形態に係るメニューの設定処理を説明するフローチャートである。
【図７】図７は、第１の実施の形態に係るメニュー構成およびボタン割当の一例を説明するための図である。
【図８】図８は、第１の実施の形態に係るユーザにより設定されたメニュー構成およびボタン割当の一例を説明するための図である。
【図９】図９は、第１の実施の形態に係るボタンの設定処理に伴う表示画面の遷移を示す図である。
【図１０】図１０は、第１の実施の形態に係るメニュー構成の設定処理に伴う表示画面の遷移を示す図である。
【図１１】図１１は、第２の実施の形態に係る調節計を示す図である。
【発明を実施するための形態】
【００１９】
以下、本発明の好適な実施の形態について、図１から図１１を参照して詳細に説明する。
［第１の実施の形態］
以下、本発明に係るフィールド機器の一例として、ポジショナ１を例に挙げて説明する。図１に示すように、ポジショナ１は、プラントなどのフィールドに配置されて、図２に示す上位システム２からの制御信号に従って、調節弁を所望の弁開度にする。ポジショナ１は、フィールドに多数配置され、メーカや型番によってそれぞれ操作方法が異なる。
【００２０】
図１は、ポジショナ１の外観を示す図である。ポジショナ１には、複数の物理キーであるボタンｂ１、ｂ２、ｂ３、ｂ４が設けられ、これらは操作部１０を構成する。また、ポジショナ１の外面には、液晶ディスプレイなどの表示画面が表示部１６として設けられている。ユーザは、ボタンｂ１、ｂ２、ｂ３、ｂ４を押下し、それに伴って表示画面に表示される操作手順に従ってポジショナ１の操作を行う。
【００２１】
ボタンｂ１、ｂ２、ｂ３、ｂ４の押下に対応する操作入力のそれぞれには、設定されたボタン機能が割り当てられている。これを、物理キーであるボタンｂ１〜ｂ４のボタン割当、または、物理キーであるボタンｂ１〜ｂ４を機能部として捉えた操作部１０における機能設定という。例えば、ボタンｂ１が押下されると、表示部１６に表示されている、ポジショナ１の操作手順を示すメニューとステータス表示が切り替わる。また、ボタンｂ２が押下されると、表示部１６に表示されているポジショナ１の操作手順や制御のための項目が一つ前の項目に移動する。ボタンｂ３が押下されると、表示部１６に表示されている項目が一つ後ろに移動する。さらに、ボタンｂ４が押下されると、選択された操作や制御を決定する。
【００２２】
また、ボタンｂ１、ｂ２、ｂ３、ｂ４を用いた操作入力の組み合わせによっても設定されたボタン機能を実現することができる。例えば、ボタンｂ１、ｂ２の同時押下によって、表示部１６のメニューとステータス表示を切り替えることができる。さらに、各ボタンｂ１、ｂ２、ｂ３、ｂ４の長押しなど、押下される時間に応じて異なるボタン機能が割り当てられている。
【００２３】
本実施の形態に係るポジショナ１は、操作部１０の機能設定、すなわち、ボタンｂ１〜ｂ４のボタン割当を所望のボタン割当に変更することができる。
【００２４】
一方で、ポジショナ１は、表示部１６に表示されるポジショナ１の操作手順や制御のための項目の表示に関する遷移情報を持っている。ポジショナ１は、ユーザによるボタンｂ１、ｂ２、ｂ３、ｂ４の押下による操作入力に応じた項目を遷移情報に従って順番に表示部１６に表示する。ポジショナ１に設定されている項目の遷移情報（以下、「メニュー構成」ということがある。）についてもポジショナ１のメーカや型番ごとに異なる構成が用意されている。
【００２５】
本実施の形態に係るポジショナ１は、表示部１６に表示されるポジショナ１の操作手順や制御のための項目の表示に関する遷移情報を所望の遷移情報に変更することができる。
【００２６】
［ポジショナの機能ブロック］
図２に示すように、本発明の第１の実施の形態に係るポジショナ１は、通信ネットワークＮＷを介して上位システム２と接続している。上位システム２は、ポジショナ１の制御を行う。
【００２７】
本実施の形態に係るポジショナ１は、操作部（第１操作部、第２操作部）１０、メニュー設定部（第１選択部）１１、ボタン設定部（第２選択部、割当部）１２、部分変更部（第１変更部、第２変更部）１３、メモリ（第１記憶部、第２記憶部）１４、表示制御部１５、および表示部（出力部）１６を備える。
【００２８】
操作部１０は、操作入力を受け付ける。本実施の形態に係る操作部１０は、４つの物理キーによるボタンｂ１、ｂ２、ｂ３、ｂ４で実現されるが、ボタンはソフトキーによるものであってもよく、またその数は４つに限定されない。
【００２９】
操作部１０は、キーアサインなどの機能設定がされており、この機能設定に基づいた操作入力を受け付ける。機能設定は、後述のボタン設定部１２によって設定の変更がなされる。また、機能設定とは、操作部１０を実現する４つのボタンｂ１、ｂ２、ｂ３、ｂ４の押下に応じた操作入力に割り当てられたボタン割当４１０である。
【００３０】
例えば、図２のメモリ１４に記憶されている「ボタン割当Ａ」は、メーカＡによって独自に割り当てられた４つのボタンｂ１、ｂ２、ｂ３、ｂ４のキーアサインである。操作部１０は、複数のメーカＡ、Ｂ、Ｃ、・・・のポジショナ、あるいは同一メーカのポジショナであっても型番の違いによって異なるボタン割当４１０（「ボタン割当Ａ」、「ボタン割当Ｂ」、「ボタン割当Ｃ」・・・）のうち選択されたボタン割当４１０に基づいた操作入力を受け付けることができる。
【００３１】
例えば、ボタン割当Ａによれば、ボタンｂ１の押下による操作入力には、メニューとステータスの表示の切り替えを実行するボタン機能４１１が割り当てられているが、ボタン割当Ｂでは、同様のボタン機能４１１が、ボタンｂ１、ｂ２の同時押下に応じた操作入力で実現される。
【００３２】
メニュー設定部１１は、メモリ１４に記憶されているポジショナ１の制御のために用いられる項目の表示に関する遷移情報のうち、１つの遷移情報を選択する。具体的には、メニュー設定部１１は、外部からの操作部１０の操作入力に応じて、メニュー情報１４０としてメモリ１４に記憶されている、例えば、メーカＡ、Ｂ、Ｃ、・・・ごとに異なるポジショナ１の操作手順や制御のための項目の表示に関する遷移情報、すなわちメニュー構成４００を選択する。
【００３３】
例えば、メーカＡによるメニュー構成Ａでは、メニュー項目４０１として項目１、項目２、項目３、・・・の順番で表示部１６において項目が遷移するのに対し、メーカＢによるメニュー構成Ｂでは、項目１の次に項目３が表示され、項目２が設けられていない場合等がある。
【００３４】
なお、メニュー設定部１１は、予め設定されたボタンｂ１〜ｂ４の押下に対応する操作入力に基づいて、メニュー構成４００の設定処理を開始することができる。また、メニュー設定部１１は、設定したメニュー構成４００を示す情報を保持することができる。
【００３５】
ボタン設定部１２は、メモリ１４に記憶されている複数の機能設定のうち１つの機能設定を選択する。より詳細には、ボタン設定部１２は、外部からの操作部１０の操作入力に応じて、ボタン情報１４１としてメモリ１４に記憶されている、例えば、メーカＡ、Ｂ、Ｃ、・・・ごとに異なる、ボタンｂ１、ｂ２、ｂ３、ｂ４の操作入力に対するボタン割当４１０を選択する。
【００３６】
なお、ボタン設定部１２は、予め設定されたボタンｂ１〜ｂ４の押下に対応する操作入力に基づいて、ボタン割当４１０の設定処理を開始することができる。また、ボタン設定部１２は、設定したボタン割当４１０を示す情報を保持することができる。
【００３７】
部分変更部１３は、外部からの操作部１０の操作入力に応じて、メニュー設定部１１によって選択されたメニュー構成４００に基づいて表示部１６に表示されるメニュー項目４０１を変更する。例えば、部分変更部１３は、図２の例に示す、メニュー構成Ａの複数のメニュー項目４０１の一部を変更する。例えば、新しいメニュー項目４０１を設けたり、使用頻度の低いメニュー項目４０１を削除したり、メニュー項目４０１が表示される順番の変更や、優先順位を設定したりすることができる。部分変更部１３によって変更されたメニュー構成４００は優先的に適用される構成とすることができる。
【００３８】
また、部分変更部１３は、外部からの操作部１０の操作入力に応じて、ボタン設定部１２によって選択されたボタン割当４１０のボタン機能４１１の一部を変更する。例えば、部分変更部１３は、図２の例に示す、ボタン割当Ａのボタン機能４１１の一部の機能を変更することができる。具体的には、ボタン割当Ａにおいて、ボタンｂ４の押下に応じた操作入力に割り当てられている機能４を機能３に変更することができる。別の例としては、ボタン割当Ａにおいて、ボタンｂ４の長押しに応じた操作入力には、何も機能が割り当てられていない場合に、新たな機能５を割り当てることができる。また、部分変更部１３によって一部が変更されたボタン割当４１０のボタン機能４１１は優先的に適用される構成とすることができる。
【００３９】
部分変更部１３は、変更したメニュー構成４００を示す情報、および変更したボタン割当４１０を示す情報を保持することができる。
【００４０】
メモリ１４は、メニュー情報１４０とボタン情報１４１とを記憶する。
メニュー情報１４０としては、遷移情報であるメニュー構成４００および各メニュー構成に応じて展開されるメニュー項目４０１が記憶されている。例えば、メーカＡ、Ｂ、Ｃ・・・ごとのメニュー構成Ａ、Ｂ、Ｃ、・・・および表示されるメニュー項目１、２、３、・・・がメニュー情報１４０として記憶されている。
【００４１】
図７は、メモリ１４が記憶するメニュー情報１４０の例を示す図である。メニュー情報１４０には、メニュー構成Ａ、Ｂ、Ｃが記憶されている。各メニュー構成は、ポジショナ１の操作における階層ごとにメニュー項目４０１が設けられている。また、最下層において、ポジショナ１の制御に関する機能が設定されている。例えば、「メニュー構成Ａ」は、「階層１」が２つのメニュー項目「項目１００」と「項目２００」とで構成され、それぞれは、下位の「階層２」において２つのメニュー項目を有する。さらに最下層である「階層３」において、ポジショナ１の制御に関する機能、例えば、「機能１１１」「機能１１２」・・・等が設定されている。
【００４２】
ボタン情報１４１としては、ボタン割当４１０およびボタン割当４１０に対応するボタン機能４１１が記憶されている。例えば、メーカＡ、Ｂ、Ｃ、・・・ごとの機能設定がボタン情報１４１として記憶されている。
【００４３】
図７のボタン情報１４１の例に示すように、メモリ１４には、複数のボタン割当４１０および対応するボタン機能４１１が記憶されている。例えば、「ボタン割当Ａ」では、操作部１０を構成するボタンｂ１〜ｂ４の「短押し」および「長押し」それぞれの操作入力に応じたボタン機能４１１が割り当てられている。例えば、「ボタンｂ１」の「短押し」の操作入力にはボタン機能「メニューに入る」が割り当てられ、「長押し」の操作入力には、ボタン機能「メニューを出る」が割り当てられている。
【００４４】
表示制御部１５は、メニュー設定部１１によって選択されたメニュー構成４００に基づいて、操作部１０が受け付けた操作入力に応じてメニュー項目４０１を表示部１６に表示する。また、表示制御部１５は、ボタン設定部１２によって選択されたボタン割当４１０に応じたボタン機能４１１に基づいて、表示部１６に表示するメニュー項目４０１の切り替えを行う。
【００４５】
表示部１６は、表示制御部１５の制御により、設定されたメニュー構成４００のメニュー項目４０１を表示する。
【００４６】
［ポジショナのハードウェア構成］
次に、本実施の形態に係るポジショナ１のハードウェア構成について、図３を参照して説明する。
【００４７】
図３に示すように、ポジショナ１は、例えば、バス１０１を介して接続されるＣＰＵ１０２、主記憶装置１０３、通信インターフェース１０４、補助記憶装置１０５、入出力Ｉ／Ｏ１０６、表示装置１０７、入力装置１０８を備えるコンピュータと、これらのハードウェア資源を制御するプログラムによって実現することができる。ポジショナ１は、外部に設置されたバルブ１０９と接続している。
【００４８】
主記憶装置１０３には、ＣＰＵ１０２が各種制御や演算を行うためのプログラムが予め格納されている。ＣＰＵ１０２と主記憶装置１０３とによって、図２に示したメニュー設定部１１、ボタン設定部１２、部分変更部１３、表示制御部１５など、ポジショナ１の各機能が実現される。
【００４９】
通信インターフェース１０４は、通信ネットワークＮＷを介してコントローラなどの上位システム２との通信を行うためのインターフェース回路である。
【００５０】
補助記憶装置１０５は、読み書き可能な記憶媒体と、その記憶媒体に対してプログラムやデータなどの各種情報を読み書きするための駆動装置とで構成されている。補助記憶装置１０５には、記憶媒体としてハードディスクやフラッシュメモリなどの半導体メモリを使用することができる。
【００５１】
補助記憶装置１０５は、ポジショナ１がメニュー構成４００およびボタン割当４１０を選択するためのプログラムを格納するプログラム格納領域、および複数のメニュー構成４００、および複数のボタン割当４１０を格納する領域を有する。補助記憶装置１０５によって、図２で説明したメモリ１４が実現される。さらには、例えば、上述したデータやプログラムやなどをバックアップするためのバックアップ領域などを有していてもよい。
【００５２】
入出力Ｉ／Ｏ１０６は、表示装置１０７や入力装置１０８、その他外部機器からの信号を入力したり、外部機器へ信号を出力したりするＩ／Ｏ端子により構成される。
【００５３】
表示装置１０７は、ポジショナ１の表示部１６として機能する。表示装置１０７は、液晶ディスプレイなどによって実現される。表示装置１０７はポジショナ１の本体外面に配設される。表示装置１０７には、ポジショナ１の操作手順や制御に関する項目を示すテキストや画像が表示される。
【００５４】
入力装置１０８は、複数のボタンｂ１、ｂ２、ｂ３、ｂ４で構成される。ボタンｂ１〜ｂ４は、物理キー、ソフトキーなどによって構成され、各キーなどの押下に応じて、対応する信号を生成するファンクションキーである。入力装置１０７によって、図１および図２で説明した操作部１０が実現される。
【００５５】
［表示方法］
次に、上述した構成を有する本実施の形態によるポジショナ１の動作について、図４から図６のフローチャートを用いて説明する。以下、ポジショナ１は上位システム２からの制御信号に基づいて、バルブ１０９の開度の制御を通常動作として行っているものとする。
【００５６】
まず、通常動作において、表示制御部１５は、通常動作に係る制御情報とともに表示部１６に現在のボタン割当４１０およびメニュー構成４００を表示する（ステップＳ１）。例えば、表示部１６の画面の遷移を示す図９および図１０の（ａ）に示すように、初期設定されているボタン割当Ａおよびメニュー構成Ａが表示される。次に、操作部１０は、ボタン割当４１０の設定の実行開始を示す操作入力を受け付けると（ステップＳ２：ＹＥＳ）、ボタン設定部１２は、ボタン割当４１０の設定処理を実行する（ステップＳ３）。例えば、図９の（ｂ）に示すように、表示部１６は「ボタン設定？」および「ＹＥＳ／ＮＯ」と表示する。
【００５７】
その後、操作部１０は、メニュー構成４００の設定の実行開始を示す操作入力を受け付けると（ステップＳ４：ＹＥＳ）、メニュー設定部１１は、メニュー構成４００の設定処理を実行する（ステップＳ５）。例えば、図１０の（ｂ）に示すように、表示部１６は「メニュー設定？」および「ＹＥＳ／ＮＯ」と表示する。
【００５８】
［ボタンの設定処理］
ここで、上記表示方法におけるボタン割当の設定処理（図４のステップＳ３）について図５のフローチャートを用いて説明する。
【００５９】
まず、操作部１０は、ボタン割当４１０の変更指示を受け付けると（ステップＳ３０：ＹＥＳ）、ボタン設定部１２は、操作入力に応じて、メモリ１４に記憶されている複数のボタン割当４１０から１つのボタン割当を選択する（ステップＳ３１）。例えば、図９の（ｃ）および（ｄ）に示すように、「ボタン割当変更？」の表示に対して「ＹＥＳ」に対応する操作入力があると、表示部１６において、ボタン割当Ａ、Ｂ、Ｃ、・・・が選択可能に表示される。
【００６０】
ボタン設定部１２は、選択したボタン割当４１０に基づいて、操作部１０のボタン割当４１０を変更する。
【００６１】
その後、操作部１０は、ボタン機能４１１を変更すること示す操作入力を受け付けると（ステップＳ３２：ＹＥＳ）、部分変更部１３は、現在設定されているボタン割当４１０のボタン機能４１１の一部を変更して割り当てる（ステップＳ３３）。例えば、図９の（ｅ）に示すように、表示部１６には、「ボタン割当カスタム実施？」と表示され、（ｆ）および（ｇ）に示すように、ボタンｂ１、ｂ２に割り当てられるボタン機能４１１が選択可能に表示される。このように、部分変更部１３は、ボタン設定部１２が選択したボタン割当４１０の一部のボタン機能４１１を変更することができる。
【００６２】
次に、表示制御部１５は、表示部１６において、設定されたボタン割当４１０を表示する（ステップＳ３４）。例えば、図９の（ｈ）に示すように、表示部１６には、通常動作の制御情報ともに、変更後のボタン割当４１０およびボタン機能４１１を示す情報「ＵＳＥＲ１」が表示される。なお、ボタン割当４１０のみが変更された場合には、表示部１６は、ボタン割当４１０を示す情報、例えば「ボタン割当Ｂ」などと表示することができる。その後、処理は図４のステップＳ４に戻される。
【００６３】
［メニュー構成の設定処理］
次に、本実施の形態に係る表示方法におけるメニュー構成４００の設定処理（図４のステップＳ５）について図６のフローチャートを用いて説明する。
【００６４】
まず、操作部１０は、メニュー構成４００の変更指示を受け付けると（ステップＳ５０：ＹＥＳ）、メニュー設定部１１は、操作入力に応じて、メモリ１４に記憶されている複数のメニュー構成４００から１つのメニュー構成を選択する（ステップＳ５１）。例えば、図１０の（ｃ）および（ｄ）に示すように、「メニュー構成変更？」の表示に対して「ＹＥＳ」に対応する操作入力があると、表示部１６において、メニュー構成Ａ、Ｂ、Ｃ、・・・が選択可能に表示される。
【００６５】
メニュー設定部１１は、選択したメニュー構成４００に基づいて、操作部１０の操作入力に応じて表示部１６に表示されるメニュー項目４０１の遷移情報であるメニュー構成４００を変更する。
【００６６】
その後、操作部１０は、メニュー項目４０１の変更を指示する操作入力を受け付けると（ステップＳ５２：ＹＥＳ）、部分変更部１３は、現在設定されているメニュー構成４００のメニュー項目４０１の一部を変更する（ステップＳ５３）。例えば、図１０の（ｅ）に示すように、表示部１６には、「メニュー構成カスタム実施？」と表示され、（ｆ）および（ｇ）に示すように、項目１、２、・・・に割り当てられるポジショナ１の制御や設定に関する機能ａ、ｂ、ｃ、・・・が選択可能に表示される。このように、部分変更部１３は、メニュー設定部１１が選択したメニュー構成４００の一部のメニュー項目４０１を変更することができる。
【００６７】
次に、表示制御部１５は、表示部１６において、設定されたメニュー構成４００を表示する（ステップＳ５４）。例えば、図１０の（ｈ）に示すように、表示部１６には、通常動作の制御情報ともに、変更後のメニュー構成４００およびメニュー項目４０１を示す情報「ＵＳＥＲ１」が表示される。なお、メニュー構成４００のみが変更された場合には、表示部１６は、メニュー構成４００を示す情報、例えば「メニュー構成Ｂ」などと表示することができる。
【００６８】
図８は、メニュー設定部１１によって設定が変更されたメニュー構成４００、およびボタン設定部１２によって設定が変更されたボタン割当４１０の具体例を示している。
【００６９】
以上説明したように、第１の実施の形態に係るポジショナ１によれば、操作部１０が受け付ける操作入力に対するボタン割当４１０および、操作部１０が受け付けた操作入力に応じて表示部１６に表示されるポジショナ１の制御のためのメニュー項目４０１の遷移情報であるメニュー構成４００を所望の構成に変更することができる。そのため、メーカや型番ごとに異なるポジショナ１のボタン割当４１０やメニュー構成４００を、ユーザが使い慣れたメーカや型番の構成とすることができ、ユーザにとって操作がより容易となる。
【００７０】
また、その結果として、ポジショナ１の操作におけるヒューマンエラーを防止することが可能となる。
【００７１】
なお、説明した実施の形態では、メモリ１４において、複数のメニュー構成４００が選択可能に記憶されている場合について説明したが、メニュー構成４００は１つであってもよい。この場合、メニュー項目４０１のみの設定を変更する構成とする。また、メニュー構成４００は、新たに追加することが可能な構成としてもよい。
【００７２】
また、ポジショナ１において、予め設定された操作入力により、メニュー構成４００およびボタン割当４１０の情報をクリアして、初期設定に戻す構成を採用してもよい。
【００７３】
［第２の実施の形態］
次に、本発明の第２の実施の形態について説明する。なお、以下の説明では、上述した第１の実施の形態と同じ構成については同一の符号を付し、その説明を省略する。
【００７４】
第１の実施の形態では、フィールドに配置されるフィールド機器の一例としてポジショナ１を例に挙げて説明した。これに対して、第２の実施の形態では、フィールド機器の別の例として調節計１Ａが用いられる。
【００７５】
図１１は、第２の実施の形態に係る調節計１Ａを示すブロック図である。調節計１Ａは、通信ネットワークＮＷを介して上位システム２と接続されている。調節計１Ａは、プログラマブルロジックコントローラ（ＰＬＣ）で構成される上位システム２から図示されないヒータなどの制御対象の制御量ＰＶ値が設定値ＳＰに一致するように制御する。
【００７６】
調節計１Ａは、図１１に示すように、操作部１０および表示部１６が本体外面に設けられている。例えば、操作部１０は、５つのボタンｂ１、ｂ２、ｂ３、ｂ４、ｂ５で構成され、それぞれの押下に応じた操作入力は、表示部１６に表示されるポインタなどの位置を上下左右に移動させ、選択された項目を決定する機能が割り当てられている。
【００７７】
調節計１Ａについても、第１の実施の形態で説明したポジショナ１と同様に、メーカや型番の違いによって操作部１０のボタン割当および、調節計１Ａの操作手順の項目の表示に関する遷移情報であるメニュー構成が異なる場合がある。
【００７８】
調節計１Ａが有する機能構成は、図２および図３で説明したポジショナ１の構成と同様である。また、調節計１Ａの動作は、図４から図６のフローチャートで示した処理と同様の処理を実行することができる。
【００７９】
このように、フィールドにおいて多数配置される調節計１Ａについても、ボタン割当やメニュー構成を所望の構成へ変更することで、ユーザにとって調節計１Ａの操作がより容易となる。
【００８０】
なお、説明した第１および第２の実施の形態では、ポジショナ１および調節計１Ａそれぞれに表示部１６が設けられている場合について説明したが、表示部１６は、外部の端末に設けられていてもよい。例えば、表示画面および通信機能を有するタブレット端末やノートパソコンなどをポジショナ１や調節計１Ａに接続し、これらの外部の端末において、ポジショナ１および調節計１Ａのそれぞれで設定されたメニュー構成を表示させることができる。
【００８１】
以上、本発明のフィールド機器、および表示方法における実施の形態について説明したが、本発明は説明した実施の形態に限定されるものではなく、請求項に記載した発明の範囲において当業者が想定し得る各種の変形を行うことが可能である。
【符号の説明】
【００８２】
１…ポジショナ、２…上位システム、１０…操作部、１１…メニュー設定部、１２…ボタン設定部、１３…部分変更部、１４…メモリ、１５…表示制御部、１６…表示部、１４０…メニュー情報、１４１…ボタン情報、４００…メニュー構成、４０１…メニュー項目、４１０…ボタン割当、４１１…ボタン機能、１０１…バス、１０２…ＣＰＵ、１０３…主記憶装置、１０４…通信インターフェース、１０５…補助記憶装置、１０６…入出力Ｉ／Ｏ、１０７…表示装置、１０８…入力装置、１０９…バルブ、ｂ１、ｂ２、ｂ３、ｂ４…ボタン。
【図１】
2020194323.tif 000003
【図２】
2020194323.tif 000004
【図３】
2020194323.tif 000005
【図４】
2020194323.tif 000006
【図５】
2020194323.tif 000007
【図６】
2020194323.tif 000008
【図７】
2020194323.tif 000009
【図８】
2020194323.tif 000010
【図９】
2020194323.tif 000011
【図１０】
2020194323.tif 000012
【図１１】
2020194323.tif 000013